(57)【要約】      （修正有）【課題】冷房時の室内膨張弁に流入する冷媒方向を定め、かつ、暖房時の室内機の運転状態に関わりなく、室内膨張弁を通過する際に発生する冷媒音を低減すること。【解決手段】多室型空気調和機の室内機において、前面と上面に吸込口３ａ、３ｂを形成し、下部に吹出口３ｃを形成した前面パネル３がベース２に装着している。ベース２は前面に熱交換器４、４ａを上下二段に配設するとともに、その背面にはクロスフローファン５を回動自在に軸支している。ベース２のくびれ部２ａを形成してできた背後の空隙には、室内膨張弁６とその前後に第一冷媒配管７及び第二冷媒配管８を設け、第一冷媒配管７を液相の冷媒が溜まりやすいトラップとし、暖房時に運転停止の室内機に備えた開状態の室内膨張弁６に接続し、かつ、第二冷媒配管８は冷房時に室内膨張弁６に流入する冷媒方向を横向き又は下向きとした配置にする。【選択図】図１
2007322006.tif 000002
【特許請求の範囲】
【請求項１】
圧縮機、四方弁、室外熱交換器を備える室外機と、室内熱交換器、室内膨張弁を備える複数の室内機とを冷媒配管で接続してなり、前記室内熱交換器と前記室内膨張弁間を接続する第一冷媒配管と、前記室内膨張弁と前記室外熱交換器間を接続する第二冷媒配管とを備えてなる多室型空気調和機において、前記第一冷媒配管はトラップとし、暖房時に運転停止の室内機に備えた開状態の前記室内膨張弁に接続し、かつ、前記第二冷媒配管は冷房時に前記室内膨張弁に流入する冷媒方向を横向き又は下向きとしたことを特徴とする多室型空気調和機。
【請求項２】
前記第一冷媒配管は途中に接続部を設け、同接続部と前記室内膨張弁との間に、前記室内熱交換器と前記接続部間を接続する配管よりも細い配管を接続してなることを特徴とする請求項１記載の多室型空気調和機。
【請求項３】
前記第一冷媒配管と前記室内膨張弁とからなる膨張弁ユニットを室内機の外部に設置してなることを特徴とする請求項１または２記載の多室型空気調和機。
【発明の詳細な説明】
【技術分野】
【０００１】
本発明は、多室型空気調和機に係わり、詳しくは、室内膨張弁を通過する際に発生する冷媒音を低減可能にした多室型空気調和機に関する。
【背景技術】
【０００２】
多室型空気調和機においては、図示を省略した室外機と複数の室内機とを冷媒配管で接続して冷凍サイクルを構成している。多室型空気調和機の１つの室内機は例えば図８に示すように、その筐体１内部に室内熱交換器４とともに、冷凍サイクルの冷媒流量を任意に調節する室内膨張弁６を設けてなるものがある。室内膨張弁６（絞り機構）を通る冷媒が気相と液相とからなる気液二相状態であると、室内膨張弁６（絞り機構）を通過する際に冷媒音が発生し騒音となる。
【０００３】
冷房時に室内膨張弁６が絞られるので、室内膨張弁６に流入する冷媒は通常、液相状態から気液二相状態に変化する。このとき、図８のように室内膨張弁６の入口が下向きの場合、上方に冷媒が流れ室内膨張弁６に気液二相状態の冷媒が流入し、ガス比率の高い気液二相冷媒が流入するとき特に大きな冷媒音が発生する。一方、多室型空気調和機、例えばビル用マルチエアコンでは、暖房時に室内膨張弁６が絞られないので、室内機の運転が停止していても冷凍サイクルが働いているため、室内膨張弁６には気液二相状態の冷媒が流入する。このとき、室内機の運転が停止した状態の中、冷媒音が発生する。
【０００４】
この騒音を低減させるため、例えば図９に示すように、室内熱交換器４、４ａおよびクロスフローファン５等を内部に備えた筐体１の上部背面（ベース２）にくびれ部２ａを設け、同くびれ部２ａに騒音の発生源となっている絞り機構１０を配設（例えば、特許文献１参照。）していた。
【０００５】
図１０は冷媒音を低減するもう一つの例で、これはキャピラリーチューブ１４（絞り機構）と蒸発器１５との間にティーズ１６を設けるとともに、同ティーズ１６の一端に閉塞部１７を設けた構成（例えば、特許文献２参照。）になっている。このような構成であれば、キャピラリーチューブ１４（絞り機構）からティーズ１６内に噴出した冷媒が気液二相状態のままで蒸発器１５に流入することはなく、閉塞部１７に当たって攪拌され、気泡がより細分化され、気液混合の状態で蒸発器１５に流入するようになるので、蒸発器１５の入口および内部での冷媒音の発生を抑えることができる。
【０００６】
図１１はさらにもう一つの例を示したもので、膨張弁１０５（絞り機構）の前後に多孔体１８、１８ａを挿入して冷媒流動状態を変化させ、冷媒音と配管振動を低減させるようにしたもの（例えば、特許文献３参照。）である。このような構成であれば、気液二相状態の冷媒１０６が膨張弁１０５（絞り機構）の前後の多孔体１８、１８ａを通過する際に、気液混合の状態に変化するため、冷媒音および配管振動を低減できる。
【０００７】
しかしながら、図９の例では、絞り機構１０から発生する冷媒音そのものは減少させることができなかった。また、図１０および図１１の例では、気液二相状態から気液混合の状態に変化させることはできるが、冷房時に絞り機構に流入する気液二相状態の冷媒方向を考慮したものではないため、その冷媒方向によっては絞り機構を通過する冷媒音の発生を十分に抑えることができなかった。
【０００８】
更に、多室型空気調和機の暖房時の室内機の運転停止の状態を想定したものではないため、絞り機構の入口側でガス比率の高い気液二相状態の冷媒が絞り機構を通過する際に冷媒音の発生を十分に抑えることができなかった。したがって、冷房時の絞り機構に流入する冷媒方向や、暖房時の室内機の運転状態によっては、騒音対策として不十分であった。
【特許文献１】特開平７−２２９６３６号公報（第２頁、図２）
【特許文献２】実開平５−８３５７号公報（第１頁、図２）
【特許文献３】特開平７−１４６０３２号公報（第１頁、図１）
【発明の開示】
【発明が解決しようとする課題】
【０００９】
本発明は、上記問題点に鑑み、冷房時の室内膨張弁に流入する冷媒方向を定め、かつ、暖房時の室内機の運転状態に関わりなく、冷媒が室内膨張弁を通過する際に発生する冷媒音をより低減した多室型空気調和機を提供することを目的としている。
【課題を解決するための手段】
【００１０】
本発明は上記の課題を解決するためになされたものであり、圧縮機、四方弁、室外熱交換器を備える室外機と、室内熱交換器、室内膨張弁を備える複数の室内機とを冷媒配管で接続してなり、前記室内熱交換器と前記室内膨張弁間を接続する第一冷媒配管と、前記室内膨張弁と前記室外熱交換器間を接続する第二冷媒配管とを備えてなる多室型空気調和機において、前記第一冷媒配管はトラップとし、暖房時に運転停止の室内機に備えた開状態の前記室内膨張弁に接続し、かつ、前記第二冷媒配管は冷房時に前記室内膨張弁に流入する冷媒方向を横向き又は下向きとした構成とする。
【００１１】
また、前記第一冷媒配管は途中に接続部を設け、同接続部と前記室内膨張弁との間に、前記室内熱交換器と前記接続部間を接続する配管よりも細い配管を接続してなる構成とする。
【００１２】
また、前記第一冷媒配管と前記室内膨張弁とからなる膨張弁ユニットを室内機の外部に設置してなる構成とする。
【発明の効果】
【００１３】
本発明による多室型空気調和機であれば、冷媒音発生の元となる、暖房時に室内膨張弁に流入する気液二相状態の冷媒を、トラップの第一冷媒配管に流通させることにより、トラップの第一冷媒配管に液相状態の冷媒が溜まりやすくしているので、液相状態の冷媒のままで室内膨張弁に流入し室内膨張弁内での冷媒音の発生が抑えられる。また、冷媒音発生の元となる、冷房時に室内膨張弁に流入する気液二相状態の冷媒を、第二冷媒配管に流通させ、第二冷媒配管から室内膨張弁に流入する冷媒方向を横向き又は下向きとしているので、室内膨張弁内での冷媒音の発生が抑えられる。
【００１４】
また、第一冷媒配管が室内熱交換器と接続部間を接続する配管より細い配管を通して室内膨張弁に導入するようになっているので、液相状態の冷媒がより滞留しやすくしているので、室内膨張弁内での冷媒音の発生が抑えられる。更に、第一冷媒配管と室内膨張弁とからなる膨張弁ユニットを室内機の外部に設置するようにしているので、室内機の筐体等によって冷媒音が増幅されることがなく、より静かな運転環境を実現できる。
【発明を実施するための最良の形態】
【００１５】
以下、本発明の実施の形態を、添付図面に基づいて説明する。なお、背景技術と同一構成部分については、同一符号を付して説明する。
【実施例１】
【００１６】
図１は本発明による多室型空気調和機の室内機の内部を横方向から見たもので、同室内機の筐体１は背面を形成するベース２と前面を形成する前面パネル３とにより構成される。ベース２は内部に上部が後方に傾斜した室内熱交換器４と同室内熱交換器４の下部にほぼ垂直に立設された室内熱交換器４ａを上下二段に支持するとともに、同室内熱交換器４ａの背面にはモータにて駆動される円筒形のクロスフローファン５を回動自在に支持し、同クロスフローファン５の下部には吹出口３ｃを形成している。
【００１７】
ベース２の背面上部には前方へくびれ部２ａが形成されており、同室内機を壁面に設置の際は間隙が生ずるようになっている。前面パネル３にはその前面と上面に格子状の吸込口３ａ、３ｂが形成されている。ベース２の背面上部に形成されたくびれ部２ａには本発明に基づく室内膨張弁６と、一端が室内熱交換器４ａに接続され他端が室内膨張弁６に接続されたトラップの形状の第一冷媒配管７と、一端が室内膨張弁６に接続され他端が図示を省略した室外機（室外熱交換器）に接続された第二冷媒配管８とが配設されている。
【００１８】
図２は室内膨張弁６と同室内膨張弁６に接続した第一冷媒配管７、第二冷媒配管８の形態を拡大図示したもので、第一冷媒配管７は液相の冷媒が溜まりやすいトラップとなっている。具体的には室内熱交換器４ａからの配管７ａ（例えば、6.35Φの配管）の一側をヘアピン状（逆Ｕ字状）に折り曲げてその先端部をＴ字管７ｂ（接続部を構成）の一端に接続し、同Ｔ字管７ｂの他端に一端を閉塞した閉塞管７ｃを接続し、同Ｔ字管７ｂの中間接続端と室内膨張弁６との間に細径部７ｄ（例えば、4.76Φの細い配管）を介した構成になっている。
【００１９】
このような配管構成であるならば、暖房時において室内機の運転停止中の場合に、室内熱交換器４ａから室内膨張弁６への冷媒流がガス比率の高い気液二相の状態であっても、トラップになっている第一冷媒配管７の下部（配管７ａの先端部からＴ字管７ｂ、閉塞管７ｃおよび細径部７ｄにかけた部分）に、重力の影響によって液相の冷媒が溜まりやすくなるので、室内膨張弁６の入口側がガス比率の高い気液二相冷媒状態にならず、室内膨張弁内での冷媒音の発生を抑えることができる。
【００２０】
一方、室内膨張弁６（暖房時の冷媒の出口）から室外機（室外熱交換器）に向かう第二冷媒配管８は室内膨張弁６の近傍でＬ字状に立ち上げた形態になっている。また、第二冷媒配管８は冷房時に室内膨張弁６に流入する冷媒方向が横向きとなり、細径部７ｄである細い配管（第一冷媒配管７）は、暖房時に室内膨張弁６に流入する冷媒方向が上向きとなるように接続されている。図３に示す室内膨張弁６の内部では、冷房時の冷媒は横方向から弁室６ａに入って絞り部６ｂを経てｂ方向に流れ、暖房時の冷媒は下方から絞り部６ｂを経て弁室６ａに入ってａ方向に流れるようになっている。
【００２１】
このような配管構成であるならば、冷房時において、室外機からの冷媒流が気液二相状態であっても、Ｌ字状の立ち上げ部下部で、重力の影響によって液相の冷媒が溜まりやすく、また、室内膨張弁６に向かう冷媒流が横向きになっているので、室内膨張弁内での冷媒音の発生を抑えることができる。
【００２２】
従来技術のように、暖房時の冷媒を図３とは逆方向に絞り部６ｂからｂ方向に流れるようにし、この室内膨張弁６に接続された第一冷媒配管７が直管であれば、絞り部６ｂで発生した音が下方に抜けて冷媒配管や室内熱交換器４に伝わり騒音になりやすい。しかし、本発明では先に説明したように第一冷媒配管７をトラップとした構成であり、冷媒はａ方向に流れ、液相の冷媒が溜まりやすくなっているので、音が伝わり難く、騒音の発生が抑えられている。
【００２３】
図４は先に説明した図２の室内膨張弁６を横方向にし、第一冷媒配管７を液相の冷媒が溜まりやすいトラップとし、第二冷媒配管８を室内膨張弁６からＬ字状に立ち上げた形態にしている例である。具体的には室内熱交換器４ａからの配管７ａの一側をヘアピン状（逆Ｕ字状）に折り曲げてその先端部をＴ字管７ｂ（接続部を構成）の一端に接続し、同Ｔ字管７ｂの他端に一端を閉塞した閉塞管７ｃを接続し、Ｔ字管７ｂの中間接続端からＬ字状に立上げた細径部７ｄを室内膨張弁６に接続した構成になっている。
【００２４】
このような構成では室内膨張弁６はＴ字管７ｂよりも下部に配置した配管構成になっているので、暖房時において室内機の運転停止中の場合に、室内熱交換器４ａから室内膨張弁６への冷媒流が気液二相の状態であっても、図４に示すトラップになっている第一冷媒配管７のＴ字管７ｂ及び細径部７ｄにかけた部分に、重力の影響によって液相の冷媒が溜まりやすくなるので、図２に示す例と同様に、室内膨張弁６の入口側がガス比率の高い気液二相冷媒状態にならず、室内膨張弁内での冷媒音の発生を抑えることができる。
【００２５】
なお、図４では室内熱交換器４ａからの配管７ａの一側をヘアピン状（逆Ｕ字状）に折り曲げてその先端部をＴ字管７ｂ（接続部を構成）の一端に接続した構成になっているが、配管７ａの一側を折り曲げることなく、直接その先端部をＴ字管７ｂの一端に接続しても上述と同様な効果を得ることができる。
【００２６】
一方、室内膨張弁６から室外機（室外熱交換器）に向かう第二冷媒配管８は冷房時に室内膨張弁６に流入する冷媒方向が下向きとなり、細径部７ｄである細い配管は、暖房時に室内膨張弁６に流入する冷媒方向が横向きとなるように接続されている。
【００２７】
このような配管構成であるならば、図２に示す例と同様に、冷房時において、室外機からの冷媒流が気液二相状態であっても、Ｌ字状の立ち上げ部下部で、重力の影響によって液相の冷媒が溜まりやすく、また、室内膨張弁６に向かう冷媒流が下向きになっているので、室内膨張弁内での冷媒音の発生を抑えることができる。
【００２８】
図５は以上説明した多室型空気調和機の冷凍サイクルを示したもので、室外機Ａと、複数の室内機Ｂ、Ｃ、Ｄとを循環する冷媒配管で接続した構成になっており、室外機Ａに設ける圧縮機１１、運転モードに対応させて冷媒流を切り替える四方弁１２、室外熱交換器１３、室外膨張弁１９と、室内機Ｂに設ける室内膨張弁６、室内熱交換器４、４ａとを順次配管接続し、室内機Ｂと同構成の室内機Ｃと室内機Ｄとを並列に接続している。また、各室内機Ｂ、Ｃ、Ｄにおける室内膨張弁６の前後には、先に説明した途中に細径部７ｄを備えたトラップになっている第一冷媒配管７と、第二冷媒配管８とが接続されている。
【００２９】
なお、図５では室内機Ｂに同構成の室内機Ｃと室内機Ｄとを並列に接続した場合を説明したが、室内機Ｂに同構成の室内機Ｃと室内機Ｄとを順次直列に接続しても上述と同様な効果を得ることができる。この場合には、図２または図４に示す例を室内機Ｂとしたとき、その第二冷媒配管８を、次の室内機Ｃの室内熱交換器４、４ａの一端に接続し他端より第一冷媒配管７、室内膨張弁６、第二冷媒配管８と順次接続する。以降同様に、この第二冷媒配管８を、次の室内機Ｄの室内熱交換器４、４ａの一端に接続し他端より第一冷媒配管７、室内膨張弁６、第二冷媒配管８、室外熱交換器１３と順次接続することにより実現できる。
【００３０】
図６および図７は、先に説明したトラップになっている第一冷媒配管７と室内膨張弁６とからなる膨張弁ユニットＵを室内機の外部に縦置きまたは横置きに設置した形態を示したものである。図６が図２の配管構成のユニット化に対応し、図７が図４の配管構成のユニット化に対応しており、このような形態であれば、騒音の低減効果をより一層高めることができる。
【図面の簡単な説明】
【００３１】
【図１】本発明の実施の形態を示す多室型空気調和機の室内機の側断面図である。
【図２】本発明の要部を縦方向に配してなる拡大図である。
【図３】本発明に係わる室内膨張弁の要部断面図である。
【図４】本発明の要部を横方向に配してなる拡大図である。
【図５】本発明に係わる多室型空気調和機の冷凍サイクル図である。
【図６】本発明による膨張弁ユニットの設置形態を示す斜視図である。
【図７】本発明による膨張弁ユニットのもう一つの設置形態を示す斜視図である。
【図８】従来の多室型空気調和機の室内機の内部構成の概略を示す正面図である。
【図９】従来例を示す空気調和機の室内機の側断面図である。
【図１０】従来例を示す空気調和機の要部拡大断面図である。
【図１１】従来の膨張弁の構成断面図である。
【符号の説明】
【００３２】
Ａ  室外機
Ｂ、Ｃ、Ｄ  室内機
Ｕ  膨張弁ユニット
１  筐体
２  ベース
３  前面パネル
４、４ａ  室内熱交換器
５  クロスフローファン
６  室内膨張弁
６ａ  弁室
６ｂ  絞り部
７  第一冷媒配管
７ａ  配管
７ｂ  Ｔ字管
７ｃ  閉塞管
７ｄ  細径部
８  第二冷媒配管
【図１】
2007322006.tif 000003
【図２】
2007322006.tif 000004
【図３】
2007322006.tif 000005
【図４】
2007322006.tif 000006
【図５】
2007322006.tif 000007
【図６】
2007322006.tif 000008
【図７】
2007322006.tif 000009
【図８】
2007322006.tif 000010
【図９】
2007322006.tif 000011
【図１０】
2007322006.tif 000012
【図１１】
2007322006.tif 000013